(57)【要約】【課題】ピックアップ装置またはピックアップ装置を備える駆動部組立体が輸送されるときに駆動部組立体を構成するピックアップ装置の光学部材に異物が付着されることを防止させる。【解決手段】ピックアップ装置２０に着脱自在に装備可能とされてピックアップ装置２０の光学部材３１及び／又は３２を保護可能な構造を有する保護部材１０を構成させる。保護部材１０が平面視されたときに、保護部材１０は、光学部材３１，３２を保護可能な略中央のカバー部１３と、カバー部１３の周辺／近傍に位置すると共に光学部材３１，３２の周辺／近傍に位置する固定部材８０に添付可能な貼付部１５と、を備えて、保護部材１０は略Ｅ字状に形成された。光学部材３１／３２を少なくとも有し、光学部材３１／３２を保護可能な保護部材１０が着脱自在に備えられたピックアップ装置２０を構成させる。ピックアップ装置２０を少なくとも備える駆動部組立体５を構成させる。【選択図】図１
2010153014.tif 000002
【特許請求の範囲】
【請求項１】
ピックアップ装置に着脱自在に装備可能とされて前記ピックアップ装置の光学部材を保護可能な構造を有することを特徴とする保護部材。
【請求項２】
柔軟性を有するシート部材が用いられて形成されたことを特徴とする請求項１に記載の保護部材。
【請求項３】
前記光学部材を保護可能なカバー部と、前記光学部材の周辺／近傍に位置する固定部材に添付可能な貼付部と、を備えて構成されたことを特徴とする請求項１又は２に記載の保護部材。
【請求項４】
前記光学部材を保護可能な略中央のカバー部と、前記カバー部の周辺／近傍に位置すると共に前記光学部材の周辺／近傍に位置する固定部材に添付可能な貼付部と、を備え、平面視されたときに略Ｅ字状に形成されたことを特徴とする請求項１〜３の何れか１項に記載の保護部材。
【請求項５】
光学部材を少なくとも有し、前記光学部材を保護可能な保護部材が着脱自在に備えられたことを特徴とするピックアップ装置。
【請求項６】
前記保護部材として、柔軟性を有するシート部材が用いられたことを特徴とする請求項５に記載のピックアップ装置。
【請求項７】
前記保護部材は、前記光学部材を保護可能なカバー部と、前記光学部材の周辺／近傍に位置する固定部材に添付可能な貼付部と、を備えて構成されたことを特徴とする請求項５又は６に記載のピックアップ装置。
【請求項８】
前記保護部材が平面視されたときに、前記保護部材は、前記光学部材を保護可能な略中央のカバー部と、前記カバー部の周辺／近傍に位置すると共に前記光学部材の周辺／近傍に位置する固定部材に添付可能な貼付部と、を備えて、前記保護部材は略Ｅ字状に形成されたことを特徴とする請求項５〜７の何れか１項に記載のピックアップ装置。
【請求項９】
請求項５〜８の何れか１項に記載のピックアップ装置を少なくとも備えることを特徴とする駆動部組立体。
【発明の詳細な説明】
【技術分野】
【０００１】
本発明は、保護部材、ピックアップ装置、並びにそれを備える駆動部組立体に関するものである。
【背景技術】
【０００２】
従来のピックアップ装置に関するものとして、例えば、コンパクトディスクプレーヤーのピックアップ部の対物レンズ及びレンズの駆動装置に異物質が付着または侵入するのを防止させたコンパクトディスクプレーヤーのピックアップ部の保護カバーというものがある（例えば、特許文献１参照。）。
【先行技術文献】
【特許文献】
【０００３】
【特許文献１】特開平９−９７４４１号公報（第１，２頁、第３−５図）
【発明の概要】
【発明が解決しようとする課題】
【０００４】
しかしながら、上記従来のピックアップ装置にあっては、例えばピックアップ部などのピックアップ装置から樹脂製カバー等の樹脂製部品などが取り外されて、ピックアップ装置が使用されることを想定した場合に、ピックアップ装置から樹脂製カバー等の樹脂製部品などが取り外されるときに、不用意にカバーがピックアップ装置の対物レンズに当たり、その結果、対物レンズに傷が付けられることが懸念されていた。
【課題を解決するための手段】
【０００５】
上記課題を解決するために、本発明の請求項１に係る保護部材は、ピックアップ装置に着脱自在に装備可能とされて前記ピックアップ装置の光学部材を保護可能な構造を有することを特徴とする。
【０００６】
請求項２に係る保護部材は、請求項１に記載の保護部材において、柔軟性を有するシート部材が用いられて形成されたことを特徴とする。
【０００７】
請求項３に係る保護部材は、請求項１又は２に記載の保護部材において、前記光学部材を保護可能なカバー部と、前記光学部材の周辺／近傍に位置する固定部材に添付可能な貼付部と、を備えて構成されたことを特徴とする。
【０００８】
請求項４に係る保護部材は、請求項１〜３の何れか１項に記載の保護部材において、前記光学部材を保護可能な略中央のカバー部と、前記カバー部の周辺／近傍に位置すると共に前記光学部材の周辺／近傍に位置する固定部材に添付可能な貼付部と、を備え、平面視されたときに略Ｅ字状に形成されたことを特徴とする。
【０００９】
請求項５に係るピックアップ装置は、光学部材を少なくとも有し、前記光学部材を保護可能な保護部材が着脱自在に備えられたことを特徴とする。
【００１０】
請求項６に係るピックアップ装置は、請求項５に記載のピックアップ装置において、前記保護部材として、柔軟性を有するシート部材が用いられたことを特徴とする。
【００１１】
請求項７に係るピックアップ装置は、請求項５又は６に記載のピックアップ装置において、前記保護部材は、前記光学部材を保護可能なカバー部と、前記光学部材の周辺／近傍
に位置する固定部材に添付可能な貼付部と、を備えて構成されたことを特徴とする。
【００１２】
請求項８に係るピックアップ装置は、請求項５〜７の何れか１項に記載のピックアップ装置において、前記保護部材が平面視されたときに、前記保護部材は、前記光学部材を保護可能な略中央のカバー部と、前記カバー部の周辺／近傍に位置すると共に前記光学部材の周辺／近傍に位置する固定部材に添付可能な貼付部と、を備えて、前記保護部材は略Ｅ字状に形成されたことを特徴とする。
【００１３】
請求項９に係る駆動部組立体は、請求項５〜８の何れか１項に記載のピックアップ装置を少なくとも備えることを特徴とする。
【発明の効果】
【００１４】
以上の如く、本発明によれば、例えばピックアップ装置が輸送されるときにピックアップ装置の光学部材に異物が付着されるということは防止される。
【００１５】
また、本発明によれば、光学部材を保護可能な保護部材がピックアップ装置に装備されることにより、ピックアップ装置の性能が劣化するということは回避される。
【００１６】
また、本発明によれば、ピックアップ装置に対して着脱自在な保護部材が用いられることにより、ピックアップ装置に対する保護部材の着脱が容易となる。従って、保護部材を備えるピックアップ装置の取扱い性が向上する。
【００１７】
また、本発明によれば、安価なピックアップ装置を提供することが可能となる。
【００１８】
また、本発明によれば、例えばピックアップ装置を備える駆動部組立体が輸送されるときに駆動部組立体を構成するピックアップ装置の光学部材に異物が付着されるということは防止される。
【００１９】
また、本発明によれば、光学部材を保護可能な保護部材が駆動部組立体を構成するピックアップ装置に装備されることにより、駆動部組立体に組み付けられたピックアップ装置の性能が劣化するということは回避される。
【００２０】
また、本発明によれば、ピックアップ装置に対して着脱自在な保護部材が用いられることにより、駆動部組立体のピックアップ装置に対する保護部材の着脱が容易となる。従って、保護部材を備えるピックアップ装置が装備された駆動部組立体の取扱い性が向上する。
【００２１】
また、本発明によれば、安価な駆動部組立体を提供することが可能となる。
【図面の簡単な説明】
【００２２】
【図１】本発明に係る保護部材、ピックアップ装置、並びにそれを備える駆動部組立体の一実施の形態を示す平面図である。
【図２】図１に示す保護部材が駆動部組立体のピックアップ装置に備えられた状態を示す平面図である。
【図３】ピックアップ装置、並びにそれを備える駆動部組立体を示す斜視図である。
【図４】ピックアップ装置の駆動装置の可動部を示す側面図である。
【図５】（Ａ）はピックアップ装置の駆動装置の固定部を示す一側の断面図（Ｂ）はピックアップ装置の駆動装置の固定部を示す他側の断面図である。
【図６】ピックアップ装置、並びにそれを備える駆動部組立体示す概略図である。
【発明を実施するための形態】
【００２３】
以下に本発明に係る保護部材、ピックアップ装置、並びにそれを備える駆動部組立体の一実施の形態を図面に基づいて詳細に説明する。
【００２４】
図１〜図３，図６に示すピックアップ装置２０として、例えば対物レンズとされる光学部材３１，３２を介してレーザ光（ＬＡＳＥＲ：ｌｉｇｈｔ  ａｍｐｌｉｆｉｃａｔｉｏｎ  ｂｙ  ｓｔｉｍｕｌａｔｅｄｅｍｉｓｓｉｏｎ  ｏｆ  ｒａｄｉａｔｉｏｎ）を出射可能な光ピックアップ装置２０が用いられている。例えば光ピックアップ（ｏｐｔｉｃａｌ  ｐｉｃｋｕｐ）又は光ピックアップ装置（ｏｐｔｉｃａｌ  ｐｉｃｋｕｐ  ｕｎｉｔ）は、「ＯＰＵ」と略称される。また、対物レンズ（ｏｂｊｅｃｔｉｖｅ  ｌｅｎｓ）は、例えば「ＯＢＬ」と略称して用いられている。
【００２５】
ディスク装置１の駆動部組立体５に備えられたＯＰＵ２０のＯＢＬ３１，３２により絞られるレーザ光によって、ディスク（ｄｉｓｃ）Ｍ等のメディアＭに記録された情報などのデータが再生される。また、ディスク装置１の駆動部組立体５に備えられたＯＰＵ２０のＯＢＬ３１，３２により絞られるレーザ光によって、ディスクＭ等のメディアＭに情報などのデータが記録される。また、ディスク装置１の駆動部組立体５に備えられたＯＰＵ２０のＯＢＬ３１，３２により絞られるレーザ光によって、ディスクＭ等のメディアＭに記録された情報などのデータが消去される。メディア（ｍｅｄｉａ）とは、例えば、データ、情報、信号などが保存されるディスク等を意味する。
【００２６】
ディスク装置１の駆動部組立体５を構成するＯＰＵ２０は、各種ディスクＭ等の各種メディアＭに記録されたデータ、情報、信号を再生させたり、書込み可能もしくは書換え可能な各種ディスクＭ等の各種メディアＭにデータ、情報、信号を記録させたり、書込み可能もしくは書換え可能な各種ディスクＭ等の各種メディアＭのデータ、情報、信号を消去させたりするものとされている。
【００２７】
また、ディスク装置１の駆動部組立体５を構成するＯＰＵ２０は、例えば、「ＣＤ」（Ｃｏｍｐａｃｔ  Ｄｉｓｃ）（商標）系列のメディアと、「ＤＶＤ」（登録商標）（Ｄｉｇｉｔａｌ  Ｖｅｒｓａｔｉｌｅ  Ｄｉｓｃ）系列のメディアと、「ＨＤ  ＤＶＤ」（Ｈｉｇｈ  Ｄｅｆｉｎｉｔｉｏｎ  ＤＶＤ）（登録商標）系列のメディアと、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列のメディアと、「ＢＤ」（Ｂｌｕ−ｒａｙ  Ｄｉｓｃ）（登録商標）系列のメディアと、に対応したものとされる。ディスク装置１の駆動部組立体５を構成するＯＰＵ２０は、例えば、上記各種メディアからなる群から選ばれる少なくとも一種のメディアに対応したものとされている。具体的に説明すると、ディスク装置１の駆動部組立体５を構成するＯＰＵ２０は、上記複数の何れかのメディアに対応したものとされている。
【００２８】
メディアＭとして例えば上記各種光ディスクＭ等が挙げられるが、次の形態をしたメディアＭも挙げられる。例えば、ディスク（Ｍ）として、ディスク両面に信号面部（Ｍａ）が設けられ、データ書込み／消去やデータ書換え等が可能とされた光ディスク（Ｍ）等も挙げられる。また、ディスク（Ｍ）として、例えば二層の信号面部（Ｍａ）が設けられ、データ書込み／消去やデータ書換え等が可能とされた光ディスク（Ｍ）等も挙げられる。なお、この明細書における符号に付けられた括弧（  ）は、図示等されたものと若干異なるものを説明するために、便宜上、用いられている。また、例えば三層の信号面部が設けられ、データ書込み／消去やデータ書換え等が可能とされた「ＨＤ  ＤＶＤ」用光ディスク等も挙げられる（図示せず）。また、例えば四層の信号面部が設けられ、データ書込み／消去やデータ書換え等が可能とされた「Ｂｌｕ−ｒａｙ  Ｄｉｓｃ」用光ディスク等も挙げられる（図示せず）。また、例えば光ディスク（Ｍ）のレーベル面部の側にレーザ光
を照射させてレーベル等の各種書込み等を行うことが可能とされた光ディスク（Ｍ）等も挙げられる。光ディスクＭの信号面部Ｍａ、レーベル面部は、例えば金属薄膜などの薄層等を備えて構成されている。金属薄膜などを備えて構成される信号面部Ｍａにデータ、情報、信号などが記録され、レーベル面部に画像などが記録される。光ディスクＭの信号面部Ｍａは、例えば金属薄層などを備えて構成される信号層Ｍａとして構成されている。
【００２９】
また、図１〜図３，図６に示すディスク装置１として、例えばレーザ光を出射可能な光ディスク装置１が用いられている。詳しく説明すると、ディスク装置１として、例えば、「ＣＤ」、「ＤＶＤ」、「ＨＤ  ＤＶＤ」、「ＣＢＨＤ」、「ＢＤ」等の各種光ディスクＭに対応した光ディスク装置１が用いられている。また、ディスク装置１を構成する駆動部組立体５として、例えば光ディスクＭのピット（ｐｉｔ）、トラック（ｔｒａｃｋ）等の略螺旋状信号部（図示せず）を横切るように光ディスクＭの半径方向に略沿ってＯＰＵ２０が往復移動可能に備えられて構成されたトラバースメカ５が用いられている。
【００３０】
また、光ディスク装置１又はトラバースメカ５を構成するＯＰＵ２０として、例えば上記各種光ディスクＭに対応したＯＰＵ２０が用いられている。また、光ディスク装置１又はトラバースメカ５を構成しＯＰＵ２０を移動自在に支える支持体１０１，１０２として、例えば略直線丸棒状のスライドシャフト１０１，１０２が用いられている。
【００３１】
また、光ディスクＭを回転させるドライブ装置２００として、スピンドルモータ３００、ターンテーブル４００等を含み光ディスクＭを回転駆動させるディスクドライブ装置２００が用いられている。ドライブ装置２００のスピンドルモータ３００上に設けられたターンテーブル４００は、光ディスクＭの調芯と、光ディスクＭの高速回転時の安定化確保と、の両機能を兼ね備えている。
【００３２】
また、光ディスク装置１又はトラバースメカ５を構成する基盤５００として、例えば、ＯＰＵ２０が移動自在に装備された一対の支持体１０１，１０２と、スピンドルモータ３００、ターンテーブル４００等を有するドライブ装置２００と、が取り付けられる略平板状のシャーシ５００が用いられている。シャーシ（ｃｈａｓｓｉｓ）とは、例えば部品などが取り付けられる組込み台を意味する。
【００３３】
光ディスク装置１は、上記ＯＰＵ２０と、上記スライドシャフト１０１，１０２と、上記ディスクドライブ装置２００と、上記シャーシ５００と、を有する上記トラバースメカ５を備えて構成されている。光ディスク装置１並びにディスク装置１を構成するトラバースメカ５は、上記各種部品以外の他の部品等も備えて構成されるが、ここでは他の部品等の詳細な説明を省略する。
【００３４】
複数のＯＢＬ３１，３２（図１，図３，図４）、保持部材４０（図４）、複数の磁性部材７１，７６（図１，図３，図５）に対応する複数のコイル５１，５２，５３（図４）、保持部材４０に複数のＯＢＬ３１，３２や複数のコイル５１，５２，５３等が取り付けられて構成された駆動主体部９３、駆動主体部９３を支持する複数の支持部材６１，６２，６３，６４，６５，６６は、ＯＰＵ２０の駆動装置９０の可動部９１を構成する。また、一対の磁性部材７１，７６（図１，図３，図５）、一組の固定部材８０は、ＯＰＵ２０の駆動装置９０（図５）の固定部９５を構成する。ＯＰＵ２０（図１〜図３，図６）のＯＢＬ３１，３２の駆動装置９０（図４，図５）は、前記固定部９５と前記可動部９１とを備える例えばアクチュエータ９０として構成されている。また、保持部材４０（図４）いわゆるレンズホルダ４０に、二つのＯＢＬ３１，３２、前後各一対の合計六つのコイル５１，５１，５２，５２，５３，５３等が取り付けられて構成された駆動主体部９３は、例えばレンズ・ホルダ組立体９３とされる。
【００３５】
発光素子を構成する光学部材（図示せず）に電流が供給されて発光素子を構成する不図示の光学部材から出射されるレーザ光により、光ディスクＭ（図６）に情報の記録が行われたり、光ディスクＭに記録された情報が再生されたり、光ディスクＭに記録された情報が消去されたりする。発光素子として例えば半導体レーザ等が挙げられる。
【００３６】
図１〜図３，図６に示すＯＰＵ２０は、光ディスクＭ（図６）にレーザ光を照射させる光学部材いわゆるレーザダイオード（ＬＤ：ｌａｓｅｒ  ｄｉｏｄｅ）（図示せず）を備える。また、このＯＰＵ２０は、ＬＤに電気を流してＬＤを光らせる駆動回路部いわゆるレーザドライバ（ＬＤＤ：ＬＤ  ｄｒｉｖｅｒ）（図示せず）を備える。また、このＯＰＵ２０は、ＬＤ等の電気系部品とＬＤＤ等の電気系部品とを通電可能に接続するフレキシブルプリント回路体（図示せず）などのフレキシブル基板（図示せず）を備える。フレキシブルプリント回路体（Ｆｌｅｘｉｂｌｅ  Ｐｒｉｎｔｅｄ  Ｃｉｒｃｕｉｔ）は、「ＦＰＣ」と略称される。
【００３７】
また、ＯＰＵ２０を構成する光学部材３１，３２として、光ディスクＭ等のメディアＭの信号面部Ｍａに対してレーザ光（図示せず）を集光させる略凸状のＯＢＬ３１，３２が用いられている。
【００３８】
このＯＰＵ２０は、レーザ光を絞らせて光ディスクＭの信号層Ｍａに集光スポットを照射・形成させる一対のＯＢＬ３１，３２を備える。ＯＢＬ３１は、略凸状の曲面部が設けられた凸レンズとして形成されている。また、ＯＢＬ３２は、略凸状の曲面部が設けられた凸レンズとして形成されている。
【００３９】
ＯＰＵ２０のアクチュエータ９０を用いてＯＰＵ２０のＯＢＬ３１，３２を上下／左右動させることにより、光ディスクＭの信号層Ｍａにレーザ光の焦点が合わせられる。詳しく説明すると、光ディスクＭの信号層Ｍａに精度の高いレーザスポットを照射形成させるときに、ＯＰＵ２０のアクチュエータ９０により、レンズホルダ４０に装備されたＯＢＬ３１，３２が、フォーカシング方向Ｄ１、トラッキング方向Ｄ２、並びに必要に応じてチルト方向Ｄｔ等に略沿って動かされる。このＯＰＵ２０は、ＯＢＬ３１，３２によるレーザ光の焦点合せが行われるときに、フォーカシング調整と、トラッキング調整と、必要に応じてチルト調整と、を実行する。また、フォーカシング調整と、トラッキング調整と、チルト調整と、は、例えば略同時に実行される。
【００４０】
フォーカスとは、例えば焦点やピントを意味する。また、フォーカシングとは、焦点を合わせることや、焦点が合わせられることを意味する。また、トラックとは、例えば光ディスクにおける信号の軌道を意味する。また、トラッキングとは、光を用いて、光ディスクの信号面に設けられた微小信号部を追跡観測し、略螺旋状に描かれた軌道の位置を定めることを意味する。また、光ディスク装置または光ピックアップ装置におけるチルトとは、ディスク面と対物レンズ光軸との角度ずれを意味する。
【００４１】
例えば、光ディスクＭに対し、ＯＢＬ３１，３２が装着されたレンズホルダ４０を備えるレンズ・ホルダ組立体９３のフォーカスサーボが行われるときに、ＯＢＬ３１，３２が装着されたレンズホルダ４０を備えるレンズ・ホルダ組立体９３は、上下方向Ｄ１に沿って動かされる。また、光ディスクＭに対し、ＯＢＬ３１，３２が装着されたレンズホルダ４０を備えるレンズ・ホルダ組立体９３のトラッキングサーボが行われるときに、ＯＢＬ３１，３２が装着されたレンズホルダ４０を備えるレンズ・ホルダ組立体９３は、左右方向Ｄ２に沿って動かされる。サーボもしくはサーボ機構とは、制御の対象とされるものの状態を測定し、測定したものと基準値とを比較して、自動的に修正制御を行わせる機構のものを意味する。ＯＢＬ３１，３２によって絞られたレーザ光の焦点が光ディスクＭの信号層Ｍａに合わせられるときに、ＯＢＬ３１，３２が装備されたレンズホルダ４０を含む
レンズ・ホルダ組立体９３は、アクチュエータ９０により上下左右等に駆動させられる。
【００４２】
なお、図１〜図３，図６に示すＯＰＵ２０においては、光ディスクＭの一半径方向Ｄ２に略沿った方向とされるトラッキング方向Ｄ２に略沿って、レンズホルダ４０に一対のＯＢＬ３１，３２が並設されているが、光ディスク装置（１）、ＯＰＵ（２０）等の設計／仕様等により、例えば、ＯＢＬ３１，３２の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って、レンズホルダ４０に一対のＯＢＬ３１，３２が並設されていてもよい。また、複数のＯＢＬ（３１，３２）とされることなく一つのＯＢＬがレンズホルダ（４０）に装備されてもよい。
【００４３】
また、ＯＰＵ２０を構成する保持部材４０として、複数のＯＢＬ３１，３２と、複数のコイル５１，５１，５２，５２，５３，５３と、複数のサスペンションワイヤ６１，６２，６３，６４，６５，６６と、が備えられて、レンズ・ホルダ組立体９３を構成させるレンズホルダ４０が用いられている。
【００４４】
このＯＰＵ２０は、略矩形平板状の一枚の天壁４１と、天壁４１に略直交する略矩形平板状の四枚の側壁４２，４３，４４，４５と、を有し、二つのＯＢＬ３１，３２が略矩形平板状の天壁４１に装着される略矩形箱状をした２ピース構造の合成樹脂製のレンズホルダ４０を備える。例えば、略矩形平板状の前後一対の両側壁４２，４５が略平行に向かい合わせられると共に、略矩形平板状の左右一対の両側壁４３，４４が略平行に向かい合わせられ、且つ、前後一対の両側壁４２，４５に対して左右一対の両側壁４３，４４が略直交して位置し、さらに、各側壁４２，４３，４４，４５に略直交する略矩形平板状の一枚の天壁４１が各側壁４２，４３，４４，４５の上側に位置することで、略矩形箱状をしたレンズホルダ４０が構成される。
【００４５】
また、ＯＰＵ２０を構成するコイル５１，５２，５３として、電気が流されることによりレンズ・ホルダ組立体９３を各方向Ｄ１，Ｄ２，Ｄｔに略沿って駆動させるフォーカス／チルトコイル５１，５２並びにトラッキングコイル５３が用いられている。
【００４６】
このＯＰＵ２０は、複数のＯＢＬ３１，３２を有するレンズホルダ４０を駆動させるための差動アクチュエータ９０を構成し、略矩形箱状をしたレンズホルダ４０の互いに向かい合う略矩形横長平板状の両側壁４２，４５の略両端部４６，４７に前後左右一対ずつ装着され、複数のＯＢＬ３１，３２を有するレンズホルダ４０をＯＢＬ３１，３２の光軸方向Ｄ１に略沿って駆動させたり揺動方向Ｄｔに略沿って駆動させたりする略矩形環状の第一フォーカス／チルトコイル５１および略矩形環状の第一フォーカス／チルトコイル５１に略並設された略矩形環状の第二フォーカス／チルトコイル５２を備える。例えば従来のフォーカスコイルと従来のチルトコイルとが一体化されて例えば従来のフォーカスコイルの機能と従来のチルトコイルの機能とを併せもつ第一フォーカス／チルトコイル５１が構成されている。また、例えば従来のフォーカスコイルと従来のチルトコイルとが一体化されて例えば従来のフォーカスコイルの機能と従来のチルトコイルの機能とを併せもつ第二フォーカス／チルトコイル５２が構成されている。
【００４７】
また、このＯＰＵ２０は、複数のＯＢＬ３１，３２を有するレンズホルダ４０を駆動させるための差動アクチュエータ９０を構成し、略矩形箱状をしたレンズホルダ４０の略矩形横長平板状側壁４２，４５の略中央部４８に前後一対装着されて、略矩形環状の第一フォーカス／チルトコイル５１と、略矩形環状の第二フォーカス／チルトコイル５２との間に略並設され、複数のＯＢＬ３１，３２を有するレンズホルダ４０を光ディスクＭの半径方向Ｄ２に略沿って駆動させる略矩形環状のトラッキングコイル５３を備える。
【００４８】
また、ＯＰＵ２０を構成し光学部材３１，３２を含むレンズ・ホルダ組立体９３を例えば中空状態で移動可能に支える支持部材６１，６２，６３，６４，６５，６６として、例えば略線状をした細径のサスペンションワイヤ６１，６２，６３，６４，６５，６６が用いられている。
【００４９】
このＯＰＵ２０は、略矩形箱状をしたレンズ・ホルダ組立体９３に装備され、レンズ・ホルダ組立体９３を弾性支持する複数の略線状をした弾性支持部材６１，６２，６３，６４，６５，６６いわゆる略線状をしたサスペンションワイヤ６１，６２，６３，６４，６５，６６を備える。例えば、ＯＰＵ２０を構成する略線状の各サスペンションワイヤ６１，６２，６３，６４，６５，６６は、ＯＢＬ３１，３２の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って延設される。例えば光ディスクＭの回動位置等により、タンジェンシャル方向Ｄ３は、光ディスクＭの他の半径方向Ｄ３とされる。ＯＰＵ２０のレンズ・ホルダ組立体９３に装備された左右六本のサスペンションワイヤ６１，６２，６３，６４，６５，６６のうちの少なくとも左右四本好ましくは左右六本のサスペンションワイヤ６１，６２，６３，６４，６５，６６に、駆動信号、制御信号等とされる電気が流されることにより、ＯＰＵ２０のレンズ・ホルダ組立体９３に装備されて各サスペンションワイヤ６１，６２，６３，６４，６５，６６に通電可能に接続された少なくとも四個のコイル好ましくは六個のコイル５１，５１，５２，５２，５３，５３に、駆動信号、制御信号等とされる電気が流される。
【００５０】
断面略円形をしたサスペンションワイヤ６１，６２，６３，６４，６５，６６の線径は、例えば、０．０６〜０．１ｍｍの線径とされる。図４に示すサスペンションワイヤ６１，６２，６３，６４，６５，６６の線径は、便宜上、太く描かれているが、実際には、線径が０．０６〜０．１ｍｍの細径のサスペンションワイヤ６１，６２，６３，６４，６５，６６が用いられる。
【００５１】
線径が０．０６ｍｍ未満の極細径のサスペンションワイヤは、例えば、サスペンションワイヤに伸びが生じたり、サスペンションワイヤに塑性変形が生じたり、不用意にサスペンションワイヤに断線が生じたりすることが懸念される。また、線径が０．１ｍｍを超える太径のサスペンションワイヤは、例えばしなやかに可撓され難くなる。このようなことから、例えば、線径が略０．０８ｍｍ程度のサスペンションワイヤ６１，６２，６３，６４，６５，６６が選定されてＯＰＵ２０に備えられることが好ましい。
【００５２】
０．０６〜０．１ｍｍの線径のサスペンションワイヤ６１，６２，６３，６４，６５，６６が選定されることにより、伸びが生じ難く、塑性変形が生じ難く、断線され難く、且つ、しなやかに可撓されるサスペンションワイヤ６１，６２，６３，６４，６５，６６を備えた安価なＯＰＵ２０が構成される。
【００５３】
また、例えば、「ＪＩＳ  Ｇ  ３５０２」に基づいて定められたピアノ線材や、「ＪＩＳ  Ｇ  ３５２２」に基づいて定められたピアノ線や、「ＪＩＳ  Ｇ  ３５２１」に基づいて定められた硬鋼線などが用いられて、サスペンションワイヤ６１，６２，６３，６４，６５，６６を構成する素線が形成される。
【００５４】
また、サスペンションワイヤ６１，６２，６３，６４，６５，６６は、例えば電気めっき法に基づいて鍍金処理が行われた銅めっき付の導線が用いられて構成される。具体的に説明すると、ばねの耐久力や疲労強度などに優れる鋼線またはピアノ線が用いられ、これに導電性に優れる銅（Ｃｕ）が被覆されて、通電可能なサスペンションワイヤ６１，６２，６３，６４，６５，６６が構成される。
【００５５】
強度特性および導電特性に優れた精密ばね用高強度銅めっき鋼線として、例えば、丸菱金極工業社製：マックワイヤー（商標）などが挙げられる。具体的なマックワイヤー（商標）の商品として、例えば、マックワイヤーＣＰ：ＣＰ−ＳＷＰＡ，ＣＰ−ＳＷＰＢなどが挙げられる。精密ばね用高強度銅めっき鋼線の線径は、例えば０．０２〜０．８ｍｍの範囲内で選択可能とされる。
【００５６】
また、ＯＰＵ２０を構成する磁性部材７１，７６として、例えば自ら磁気／磁力を生じる略直方体状のマグネットいわゆる磁石７１，７６が用いられている。
【００５７】
例えば、一面部７２側の一方部７３ａ側に正極部７４ａが形成されると共に、一面部７２側の他方部７３ｂ側に負極部７４ｂが形成された二極一個の駆動用磁石７１が用いられる。また、例えば、一面部７７側の一方部７８ａ側に正極部７９ａが形成されると共に、一面部７７側の他方部７８ｂ側に負極部７９ｂが形成された二極一個の駆動用磁石７６が用いられる。なお、磁石７１，７６の取付構造、ＯＰＵ２０の設計／仕様等により、例えば磁性部材７１，７６として、一極／二極マグネットや、二極以上着磁された多極着磁マグネットが用いられてもよい。
【００５８】
また、ＯＰＵ２０を構成する固定部材８０として、例えば磁性部材７１，７６等が装着される複雑な構造のフレーム／ヨーク８０が用いられている。フレーム／ヨーク８０は、基板部８２と、基板部８２に対し略直角に曲げられて延長形成された一対の側板部８３，８４と、一対の側板部８３，８４に対し略直角に曲げられて延長形成されると共に基板部８２に対し略平行に形成された天板部８１と、を備えて構成され、略直方体状の各磁石７１，７６を囲む構造とされている。
【００５９】
このＯＰＵ２０は、少なくとも二つ好ましく四つより好ましくは六つの略矩形平板状磁石７１，７６が装備される固定部材８０たとえばフレーム／ヨーク８０を備える。固定部材８０は、例えばフレーム・ヨーク８０として構成されている。フレーム（ｆｒａｍｅ）とは、例えば、枠や、枠組みや、骨組みを意味する。また、ヨーク（ｙｏｋｅ）とは、例えば、磁気的な連結を構造的に支持したものを意味する。また、ヨークは、磁石（マグネット）などの磁性部材から生じる磁力の漏れを少なくさせるものとされている。フレーム・ヨークは、ヨークとしての機能を備えたフレームとして形成されている。ここではフレーム／ヨーク８０として磁石７１，７６が装備される例えば磁気連結部材、バックヨークが用いられる。例えば、磁気連結部材、バックヨークは、フレーム／ヨーク６０として取り扱われる。
【００６０】
また、このＯＰＵ２０は、光ディスクＭの信号層Ｍａから反射されたレーザ光を受光する受光素子いわゆる光検出器またはＰＤＩＣ（ｐｈｏｔｏ  ｄｉｏｄｅ  ＩＣ）もしくはフォトディテクタ（ＰＤ：ｐｈｏｔｏ  ｄｅｔｅｃｔｏｒ）（図示せず）を備える。不図示のＰＤは、例えば四分割タイプ等の複数分割された回折格子（図示せず）を透過したメインビーム（０次光）に対応する平面視略矩形のメイン受光部（図示せず）と、回折格子を透過することで回折分岐された一対のサブビーム（±１次回折光束）に対応する一対の平面視略矩形のサブ受光部（図示せず）との三つの受光部を少なくとも備えて構成される。平面視略矩形のメイン受光部は、略均等に四分割されて平面視略矩形の四つのセグメントを備える。また、平面視略矩形のサブ受光部は、略均等に四分割されて平面視略矩形の四つのセグメントを備える。このように、複数の平面視略矩形のセグメントを備えた複数分割タイプの各受光部を有するＰＤがＯＰＵ２０に装備される。
【００６１】
ＰＤは、光ディスクＭの信号層Ｍａから反射されたレーザ光を受けて、その信号を電気信号に変え、光ディスクＭの信号層Ｍａに記録されたデータ、情報、信号を検出するためのものとされている。また、ＰＤは、光ディスクＭの信号層Ｍａから反射されたレーザ光
を受けて、その信号を電気信号に変え、ＯＰＵ２０を構成するＯＢＬ３１，３２付レンズホルダ４０を含んだレンズ・ホルダ組立体９３のサーボ機構を動作させるためのものとされている。ＯＰＵ２０により、例えば、光ディスクＭに記録されたデータ／情報／信号が読み出されたり、光ディスクＭにデータ／情報／信号が書き込まれたり、光ディスクＭに記録されたデータ／情報／信号が消されたりするときに、ＰＤの各受光部に各レーザ光が照射されることにより、光ディスクＭのメイン情報信号、光ディスクＭに対するフォーカスエラー信号、トラッキングエラー信号などが検出される。
【００６２】
また、このＯＰＵ２０は、例えばサスペンションワイヤ６１，６２，６３，６４，６５，６６に生じる異常振動などを抑制させる例えば略ゲル状のダンピング材（図示せず）ならびにダンピング材を保持するダンピング保持部材９７を備える。フレーム／ヨーク８０の後側に装着されたダンピング保持部材９７の各孔（図示せず）に、各サスペンションワイヤ６１，６２，６３，６４，６５，６６が挿通される。また、サスペンションワイヤ６１，６２，６３，６４，６５，６６が挿通されたダンピング保持部材９７の不図示の孔には、例えば柔軟性に富んだ合成重合体製のダンピング材いわゆるダンプ剤が充填される。
【００６３】
また、このＯＰＵ２０は、各サスペンションワイヤ６１，６２，６３，６４，６５，６６が通電可能に接続されて取り付けられる回路基板９９を備える。回路基板は、例えば、ＰＷＢ（ｐｒｉｎｔｅｄ  ｗｉｒｅｄ  ｂｏａｒｄ／ｐｒｉｎｔｅｄ  ｗｉｒｉｎｇ  ｂｏａｒｄ）等と呼ばれている。
【００６４】
また、光ディスク装置１、ＯＰＵ２０等の設計／仕様等により、このＯＰＵ２０は、ＯＰＵ２０の各種部品を保護する被覆部材（図示せず）例えば被覆板を備える。ＯＰＵ２０が組み立てられるときに、ＯＰＵ２０の上側に、例えば各種部品を保護する不図示の被覆板が備えられる。
【００６５】
また、このＯＰＵ２０は、各種光学系部品、電気系部品、駆動系部品などが装備されるハウジング２５（図１〜図３）を備える。ハウジング（ｈｏｕｓｉｎｇ）とは、例えば、装置、部品などの物が収容される箱、箱形のものや、箱に類似したものを意味する。
【００６６】
ハウジング２５に装備される光学系部品として、例えば、レーザダイオード（ＬＤ）、１／２波長板（１／２λ板）、開口制限付広帯域１／４波長板（１／４λ板）、液晶補正素子（ＬＣＤ：ｌｉｑｕｉｄ  ｃｒｙｓｔａｌ  ｄｅｖｉｃｅ／ｌｉｑｕｉｄ  ｃｒｙｓｔａｌ  ｄｉｓｐｌａｙ）、回折光学素子（ＤＯＥ：ｄｉｆｆｒａｃｔｉｖｅ  ｏｐｔｉｃａｌ  ｅｌｅｍｅｎｔ）、回折格子（インライン・グレーティング）、ダイバージェントレンズ、プリズム、偏光ビームスプリッタ、ダイクロイックフィルタ、コリメータレンズ、ビームエキスパンダレンズ、ハーフミラー、レフレクトミラー、全反射ミラー、対物レンズ、フロントモニタダイオード、センサレンズ、アナモフィックレンズ、中間レンズ、フォトディテクタなどが挙げられる。このＯＰＵ２０は、前記光学系部品を備える。
【００６７】
また、ハウジング２５に装備される電気系部品として、例えば、プリント基板、記憶装置（ＲＯＭ：ｒｅａｄ−ｏｎｌｙ  ｍｅｍｏｒｙ）、サスペンションワイヤ、コイル、アクチュエータ、フレキシブルプリント回路体、レーザドライバ、レーザダイオード、液晶補正素子、コリメータレンズ等を備えるビームエキスパンダユニット、フロントモニタダイオード、フォトディテクタなどが挙げられる。このＯＰＵ２０は、前記電気系部品を備える。
【００６８】
また、ハウジング２５に装備される駆動系部品として、たとえば、サスペンションワイヤ、コイル、磁石、ヨーク、アクチュエータ、対物レンズ、レンズホルダ、コリメータレンズ等を備えるビームエキスパンダユニットなどが挙げられる。このＯＰＵ２０は、前記
駆動系部品を備える。
【００６９】
ＯＰＵ２０を構成する各種光学系部品、電気系部品、駆動系部品などの各種部品は、ハウジング２５に装備される。ハウジング２５は、各種光学系部品、電気系部品、駆動系部品などの各種部品が装備されるハウジング本体２９と、ハウジング本体２９から突設され第一の軸部材とされる第一の支持体１０１と移動可能に合わせられる一対の主軸用の軸受部２６，２７と、主軸用の軸受部２６，２７に対し反対側に向けてハウジング本体２９から突設され第二の軸部材とされる第二の支持体１０２と移動可能に合わせられる副軸用の軸受部２８と、を備えて形成されている。主軸用の軸受部２６，２７と、副軸用の軸受部２８と、は、ハウジング本体２９と一体成形されている。主軸用の軸受部２６，２７と、副軸用の軸受部２８と、ハウジング本体２９と、は、一つのものとして形成される。
【００７０】
略丸棒状の支持体１０１，１０２の長手方向Ｄ２に略沿ってＯＰＵ２０が移動するときに、略丸孔状の第一の軸受部２６と、略丸棒状の第一の支持体１０１と、が摺接する。また、略丸棒状の支持体１０１，１０２の長手方向Ｄ２に略沿ってＯＰＵ２０が移動するときに、略丸孔状の第二の軸受部２７と、略丸棒状の第一の支持体１０１と、が摺接する。また、略丸棒状の支持体１０１，１０２の長手方向Ｄ２に略沿ってＯＰＵ２０が移動するときに、横倒し状の略Ｕ字状滑り軸受構造をした第三の軸受部２８と、略丸棒状の第二の支持体１０２と、が摺接する。
【００７１】
支持体１０１，１０２は、ＯＰＵ２０のハウジング２５の軸受部２６，２７，２８に対して摺接可能な例えばスライドシャフト１０１，１０２として形成されている。また、軸受部２６，２７，２８は、スライドシャフト１０１，１０２に対して摺接可能な例えば摺動部２６，２７，２８として形成されている。
【００７２】
ＯＰＵ２０は、ハウジング２５の第一の摺動部２６と、第二の摺動部２７と、第三の摺動部２８とにより、一対のスライドシャフト１０１，１０２上に安定した略三点構造で移動可能に支持される。ＯＰＵ２０は、ハウジング２５の第一の摺動部２６と、第二の摺動部２７と、第三の摺動部２８との主な三点によって、一対のスライドシャフト１０１，１０２上に移動可能に支持されるので、例えば四点支持構造のＯＰＵ（図示せず）よりも摩擦が減らされる。
【００７３】
また、第三の摺動部２８は、開口された横倒し状の略Ｕ字状滑り軸受構造を構成するものとされているので、例えば副軸とされるスライドシャフト１０２へのＯＰＵ２０の組付け作業が容易に行われる。また、第三の摺動部２８は、開口された横倒し状の略Ｕ字状滑り軸受構造を構成するものとされているので、例えば主軸とされる第一スライドシャフト１０１に対し、副軸とされる第二スライドシャフト１０２の平行度等の僅かな誤差は、開口された横倒し状の略Ｕ字状滑り軸受構造の第三の摺動部２８により吸収される。
【００７４】
ＯＰＵ２０は、上記ＯＢＬ３１，３２、上記コイル５１，５１，５２，５２，５３，５３を有する上記レンズ・ホルダ組立体９３と、上記サスペンションワイヤ６１，６２，６３，６４，６５，６６と、上記磁石７１，７６と、上記フレーム／ヨーク８０と、を備えて構成されている。ＯＰＵ２０は、上記各種部品以外の他の部品等も備えて構成されるが、ここでは他の部品等の詳細な説明を省略する。
【００７５】
先ず、ＯＰＵ２０が出荷されるとき等にＯＰＵ２０に備えられるレンズ保護用の可撓性薄肉シート状をした保護部材１０の形状等について、ＯＰＵ２０と共に説明する。
【００７６】
このＯＰＵ２０用の保護部材１０は、ＯＰＵ２０に着脱自在に装備可能とされてＯＰＵ２０に備えられたレーザビーム光を透過可能な少なくとも一つの光学部材３１又は３２の
何れか一方または光学部材３１及び３２の両方を保護可能な構造を有する。
【００７７】
また、このＯＰＵ２０は、レーザビーム光を透過可能な少なくとも一つの光学部材３１又は３２の何れか一方または光学部材３１及び３２の両方を少なくとも有する。例えばＯＰＵ２０が輸送されるとき等に、光学部材３１，３２を保護可能な保護部材１０がＯＰＵ２０に着脱自在に備えられる。
【００７８】
光学部材３１，３２として、光ディスクＭの信号層Ｍａに対して不図示のレーザビーム光を集光させる略凸状のＯＢＬ３１，３２が用いられている。また、保護部材１０として、レーザビーム光を透過可能なＯＢＬ３１，３２よりも柔軟性を有する略薄肉板状の一枚のシート部材１０が用いられている。
【００７９】
シート部材１０は、例えばＯＰＵ２０に装備された一つのＯＢＬ３１及び又は３２の汚れを防止させるものである。また、シート部材１０は、例えばＯＰＵ２０に装備された二つのＯＢＬ３１，３２の汚れを防止させるものである。
【００８０】
また、シート部材１０の支持体１０ａは、例えば、織布、不織布、合成重合体からなる群から選ばれる少なくとも一種のものが用いられて形成されたのちに、合成糊などの貼付剤１０ｂが塗布されて製作される。シート部材１０として、例えばアクリル樹脂系粘着テープが用いられる。アクリル樹脂系粘着テープ（Ａｃｒｙｌｉｃ  ｐｒｅｓｓｕｒｅ−ｓｅｎｓｉｔｉｖｅ  ａｄｈｅｓｉｖｅ  ｔａｐｅｓ）は、アクリル系粘着剤１０ｂを基材１０ａに塗布したテープとされる。アクリル酸エステルモノマーは、極性の高いモノマーと共重合させられることにより粘着性が付与され、また、着脱性に優れる粘着性が得られる。
【００８１】
例えば、支持体１０ａがポリエチレンクロスとされ、粘着剤１０ｂがアクリル樹脂系のものとされたシート部材１０として、コニシ社製：工業用粘着テープＶＦ４２０Ａ等が挙げられる。また、光ディスク装置１、ＯＰＵ２０等の設計／仕様等により、シート部材１０の基材１０ａは、例えばフェルトが用いられて形成され、シート部材１０の粘着剤１０ｂとしてアクリル酸エステルモノマーが用いられる。例えば、支持体１０ａが不織布とされ、粘着剤１０ｂがアクリル樹脂系のものとされたシート部材１０として、コニシ社製：工業用粘着テープの極うすテープ等が挙げられる。
【００８２】
ＢＤ用のＯＢＬ３１は、開口数（Ｎｕｍｅｒｉｃａｌ  Ａｐｅｒｔｕｒｅ：ＮＡ）が略０．８５とされていることから、略湾曲状に突出された凸量が大きい。これに対し、ＣＤ／ＤＶＤ用のＯＢＬ３２は、ＮＡが略０．６〜０．６６とされていることから、略湾曲状に突出された凸量は、ＢＤ用のＯＢＬ３１の凸量よりも小さい。
【００８３】
このようなことに対応する例えばレンズカバー方式／手段が必要となる。このようなことに対応するために、例えばレンズカバーとして機能するシート部材１０が使用される。このシート部材１０は、例えばＯＢＬ３１，３２を保護する保護テープとされている。また、このシート部材１０は、例えば微粘着性の接着剤（図示せず）を有する貼付部１５を少なくとも備えて構成されている。
【００８４】
シート部材１０は、微粘着性の接着剤が付着されておらず且つＯＰＵ２０のＯＢＬ３１，３２を保護可能なカバー部１３と、ＯＰＵ２０のＯＢＬ３１，３２の周辺／近傍に位置し微粘着性の接着剤が付着されてフレーム／ヨーク８０に自在に添付可能な貼付部１５と、を備えて構成されている。
【００８５】
シート部材１０がＯＰＵ２０に備えられたときに、ＯＰＵ２０の二つのＯＢＬ３１，３
２上に微粘着性の接着剤を有する貼付部１５は位置しない。微粘着性の接着剤を有する貼付部１５は、シート部材１０がＯＰＵ２０に備えられたときに、ＯＰＵ２０の例えばフレーム／ヨーク８０に対応してシート部材１０に設けられている。
【００８６】
詳しく説明すると、シート部材１０が平面視されたときに、シート部材１０は、微粘着性の接着剤が付着されておらず且つＯＢＬ３１，３２を保護可能な略中央の略矩形状をしたレンズカバー部１３と、レンズカバー部１３の周辺／近傍に位置すると共にＯＢＬ３１，３２の周辺／近傍に位置するフレーム／ヨーク８０に対して微粘着性の接着剤の粘着力により自在に添付可能な略凹状または略コ字状をした貼付部１５と、を備えて構成され、シート部材１０は、略Ｅ字状に形成されている。
【００８７】
シート部材１０が平面視されたときに、シート部材１０は、微粘着性の接着剤が付着されておらず且つＯＢＬ３１，３２を保護可能な略中央の略矩形状をしたレンズカバー部１３と、レンズカバー部１３の周辺／近傍に位置すると共にＯＢＬ３１，３２の周辺／近傍に位置するフレーム／ヨーク８０に対して微粘着性の接着剤の粘着力により自在に添付可能な略凹状または略コ字状をした貼付部１５と、に分けられて形成される。シート部材１０が作製されるときに、柔軟性を有する略薄肉板状の一枚のシート部材１０が例えば金型等によって打抜き形成されることにより、シート部材１０が略Ｅ字状に形成される。
【００８８】
より詳しく説明すると、シート部材１０が平面視されたときに、略平板状のシート部材１０は、略長方形状の本体部１４と、略長方形状の本体部１４の一側に延設された略長方形状の第一の突出部１１と、略長方形状の本体部１４の他側に延設された略長方形状の第二の突出部１２と、略長方形状の第一の突出部１１と略長方形状の第二の突出部１２との間において略長方形状の本体部１４に延設された略長方形状の第三の突出部１３と、を備えて略Ｅ字状に構成されている。
【００８９】
シート本体部１４と、第一の突出部１１と、第二の突出部１２と、第三の突出部１３と、は、略同一面上に位置する。また、シート本体部１４に対し、第一の突出部１１と、第二の突出部１２と、第三の突出部１３と、は、略同一方向に略沿って略同一長さで延設されると共に略平行に並設されている。シート部材１０を構成する微粘着性の接着剤が付着された略凹状または略コ字状の貼付部１５は、シート本体部１４と、第一の突出部１１と、第二の突出部１２と、を備えて構成される。また、シート部材１０を構成する第三の突出部１３は、微粘着性の接着剤が付着されていないレンズカバー部１３として機能する。
【００９０】
シート部材１０がＯＰＵ２０のフレーム／ヨーク８０に備えられたときに、シート部材１０の微粘着性の接着剤が付着されていないＯＢＬ３１，３２を保護するレンズカバー部１３は、略湾曲状に突出された凸量が大きいＢＤ用のＯＢＬ３１と、ＢＤ用のＯＢＬ３１よりも略湾曲状に突出された凸量が小さいＣＤ／ＤＶＤ用のＯＢＬ３２と、を覆う。
【００９１】
シート部材１０のＯＢＬ３１，３２を保護するレンズカバー部１３には、微粘着性の接着剤が付着されていないので、第一ＯＢＬ３１のレンズ面部３１ａ、第二ＯＢＬ３２のレンズ面部３２ａ、第一ＯＢＬ３１の外周部３１ｂ、第二ＯＢＬ３２の外周部３２ｂにシート部材１０は貼り付けられない。
【００９２】
シート部材１０のＯＢＬ３１，３２を保護するレンズカバー部１３が、第一ＯＢＬ３１のレンズ面部３１ａ、第二ＯＢＬ３２のレンズ面部３２ａ、第一ＯＢＬ３１の外周部３１ｂ、第二ＯＢＬ３２の外周部３２ｂに貼り付けられないので、細径の略線状をしたサスペンションワイヤに不必要に荷重が加えられない。略線状をした細径のサスペンションワイヤに不必要に負荷がかけられないことから、例えばＯＰＵ２０の出荷時などにＯＰＵ２０の性能に悪影響が及ぼされるということは回避され、ＯＰＵ２０の性能は維持される。
【００９３】
例えば、平面視略Ｅ字状に形成されていない平面視正方形状のシート部材がＯＰＵ２０に備えられた場合、ＯＰＵ２０のフレーム／ヨーク８０に対し、各ＯＢＬ３１，３２がＯＰＵ２０の内部２１側に押し込まれてしまう可能性がある。そのようにシート部材がＯＰＵ２０に備えられると、出荷中のＯＰＵ２０のサスペンションワイヤに常に負荷が加えられることとなる。このような状態となると、ＯＰＵ２０のＯＢＬ３１，３２が例えば自然状態の中立位置とされずに、ＯＰＵ２０の内部２１側に押し込まれた状態となる。
【００９４】
例えばこのような状態が長期にわたって維持されたのちに、ＯＰＵ２０からシート部材が取り除かれると、例えば長期にわたって撓まされたサスペンションワイヤ等に塑性変形が生じ、その結果、ＯＰＵ２０のＯＢＬ３１，３２が元の自然状態の中立位置に戻されず、ＯＰＵ２０のフレーム／ヨーク８０に対し、各ＯＢＬ３１，３２がＯＰＵ２０の内部２１側に位置するいわゆる対物レンズ位置凹み現象が発生することとなる。このようなことが生じるとＯＰＵ２０の本来の性能が発揮されないということが懸念されていた。
【００９５】
また、例えばＯＰＵ２０又はＯＰＵ２０を備えるトラバースメカ５を光ディスク装置１などに組み込む光ディスク装置組立メーカ等において、光ディスク装置１の駆動部組立体５を構成するＯＰＵ２０のＯＢＬ３１，３２の汚れが懸念されていた。また、光ディスク装置１をコンピュータなどに組み込むコンピュータ組立メーカ等において、光ディスク装置１の駆動部組立体５を構成するＯＰＵ２０のＯＢＬ３１，３２の汚れが懸念されていた。
【００９６】
しかしながら、図１及び図２の如く、ＯＰＵ２０用の保護部材１０がＯＰＵ２０に備えられていれば、例えばＯＰＵ２０が輸送されるときに、ＯＰＵ２０の光学部材３１，３２にグリース、潤滑油などの異物が付着されるということは防止される。
【００９７】
また、レーザビーム光を透過可能な少なくとも一つの光学部材３１又は３２の何れか一方または光学部材３１及び３２の両方を保護可能な特殊形状／構造をした保護部材１０がＯＰＵ２０に装備されることにより、ＯＰＵ２０のサスペンションワイヤ等の支持部材に塑性変形などの不具合が生じてＯＰＵ２０の性能が劣化するということは回避される。
【００９８】
また、ＯＰＵ２０に対して着脱自在な保護部材１０が用いられることにより、ＯＰＵ２０に対する保護部材１０の着脱が容易となる。従って、保護部材１０を備えるＯＰＵ２０の取扱い性が向上する。
【００９９】
また、例えば特許文献１に示されるカバーがＯＰＵ２０に装備されることがないので、安価なＯＰＵ２０を提供することが可能となる。
【０１００】
なお、不図示の被覆板を備えるＯＰＵ２０が構成された場合、例えば固定部材に含まれる被覆板にシート部材１０が添着される。
【０１０１】
次に、ＯＰＵ２０が光ディスク装置１に組み込まれるまでの工程、又は、ＯＰＵ２０を備えるトラバースメカ５が、光ディスク装置１に組み込まれるまでの工程について説明する。
【０１０２】
光ディスク装置１のトラバースメカ５は、上記ＯＰＵ２０と、上記ＯＰＵ２０を移動可能に支持する一対のスライドシャフト１０１，１０２と、光ディスクＭを回転駆動させる上記ディスクドライブ装置２００と、ＯＰＵ２０が備えられた一対のスライドシャフト１０１，１０２とディスクドライブ装置２００とが取り付けられたシャーシ５００と、を備えて構成される。
【０１０３】
図２に示す状態のシート部材１０を備えるＯＰＵ２０又はシート部材１０付ＯＰＵ２０を備えるトラバースメカ５が輸送等されて例えば光ディスク装置１の組立メーカに納入され、例えば光ディスク装置１の組立メーカにおいて、光ディスク装置１へのＯＰＵ２０の組込工程中もしくは光ディスク装置１へのトラバースメカ５の組込工程中、又は、光ディスク装置１へのＯＰＵ２０の組込工程が終了されたのち若しくは光ディスク装置１へのトラバースメカ５の組込工程が終了されたのちに、シート部材１０が取り除かれて、図３に示す光ディスク装置１が組み立てられる。ＯＰＵ２０のＯＢＬ３１，３２を他のものから守るシート部材１０の役割は、これで終了する。
【０１０４】
このようにシート部材１０が使用されることにより、例えば光ディスク装置１を構成するユニットとして重要とされるＯＰＵ２０を備えたトラバースメカ５が輸送されるときに、光ディスク装置１のトラバースメカ５を構成するＯＰＵ２０のＯＢＬ３１，３２に、一対のスライドシャフト１０１，１０２等に付着されている摺動特性向上用のグリース、潤滑油などの異物が付着されるということは防止される。
【０１０５】
また、レーザビーム光を透過可能な少なくとも一つのＯＢＬ３１又は３２の何れか一方またはＯＢＬ３１及び３２の両方を保護可能な特殊形状／構造をしたシート部材１０がトラバースメカ５を構成するＯＰＵ２０に装備されることにより、ＯＰＵ２０のサスペンションワイヤ等の支持部材に塑性変形などの不具合が生じて、トラバースメカ５に組み付けられたＯＰＵ２０の性能が劣化するということは回避される。
【０１０６】
また、ＯＰＵ２０に対して着脱自在なシート部材１０が用いられることにより、トラバースメカ５のＯＰＵ２０に対するシート部材１０の着脱が容易となる。従って、シート部材１０を備えるＯＰＵ２０が装備されたトラバースメカ５の取扱い性が向上する。
【０１０７】
また、例えば特許文献１に示されるカバーがＯＰＵ２０に装備されることがないので、安価なＯＰＵ２０を光ディスク装置１のトラバースメカ５に装備させることが可能となる。これに伴って、安価な光ディスク装置１又は安価なトラバースメカ５を提供することが可能となる。
【０１０８】
上記ＯＰＵ２０及び／又は上記ＯＰＵ２０を備えるトラバースメカ５が組み付けられた光ディスク装置１は、上記各種光ディスクＭにデータ／情報／信号等を記録させたり、上記各種光ディスクＭのデータ／情報／信号等を再生させたり、上記各種光ディスクＭのデータ／情報／信号等を消去させたりする記録・再生装置に使用可能とされる。また、上記ＯＰＵ２０及び／又は上記ＯＰＵ２０を備えるトラバースメカ５が組み付けられた光ディスク装置１は、上記各種光ディスクＭのデータ／情報／信号等を再生させる再生専用装置にも使用可能とされる。
【０１０９】
また、上記二つのＯＢＬ３１，３２が装備されたＯＰＵ２０に代えて、例えば一つのＯＢＬ３１又は３２が装備されたＯＰＵが用いられてもよい。
【０１１０】
光ディスク装置１内にディスクＭが装備される状態について説明すると、光ディスク装置１の光ディスク装置本体２に対して出し入れ可能なトレー（図示せず）が用いられて、光ディスク装置１の光ディスク装置本体２内にディスクＭが備えられる。光ディスク装置１の光ディスク装置本体２内に備えられるディスクＭとして、例えば、「ＣＤ」系光ディスク、「ＤＶＤ」系光ディスク、「ＨＤ  ＤＶＤ」系光ディスク、「ＣＢＨＤ」系光ディスク、及び「Ｂｌｕ−ｒａｙ  Ｄｉｓｃ」系光ディスク等の各種ディスクＭが挙げられる。
【０１１１】
光ディスク装置１（図１〜図３，図６）は、光ディスクＭが装備可能とされると共に光ディスク装置本体２に対して出し入れ可能なトレー（図示せず）と、ターンテーブル４００（図３，図６）とターンテーブル４００に対向するクランパ（図示せず）とを有し光ディスクＭを挟み込んで固定可能なクランプ装置と、ターンテーブル４００を含み光ディスクＭを回転駆動させるドライブ装置２００と、光ディスクＭにレーザ光を照射させるＯＰＵ２０と、光ディスクＭの一半径方向Ｄ２に沿ってＯＰＵ２０を移動させるときにＯＰＵ２０を移動可能に支持する一対のスライドシャフト１０１，１０２と、を備えて構成されている。
【０１１２】
光ディスク装置１を構成する略矩形箱状の筐体３（図６）いわゆるカバー３に対し、出入り自在とされた略板状のトレーが用いられて、光ディスク装置１内に光ディスクＭが収容される。また、光ディスク装置１を構成するカバー３内に、光ディスクＭを回転させるドライブ装置２００（図３，図６）が収納されている。ドライブ装置２００として、光ディスクＭが装備される略丸板状をしたターンテーブル４００を有するディスクドライブ装置２００が用いられている。また、光ディスクＭのデータ／情報／信号を読み取ったり、光ディスクＭにデータ／情報／信号を記録させたり、光ディスクＭのデータ／情報／信号を消去させたりするＯＰＵ２０が、光ディスク装置１を構成するカバー３内に装備されている。各種部品が装備された下側のカバー３に上側のカバー（図示せず）が装着されて、光ディスク装置１が組み立てられる。
【０１１３】
ターンテーブル４００とターンテーブル４００に対向するクランパとを備えたクランプ装置が用いられて、ターンテーブル４００とクランパとの間に、中心部Ｍｃに丸孔Ｍｂが形成された光ディスクＭが、位置決めされた状態で確実に挟み込まれて着脱自在に固定される。
【０１１４】
光ディスク装置１は、上記各種部品以外の他の部品等も備えて構成されるが、ここでは他の部品等の詳細な説明を省略する。
【０１１５】
又、上記ＯＰＵ２０、上記トラバースメカ５は、例えば、コンピュータ、音響／映像機器、ゲーム機、車載機（何れも図示せず）などに組み付けられる光ディスク装置１に装備される。また、上記ＯＰＵ２０を備えるトラバースメカ５又は光ディスク装置１は、例えば、ノート型パーソナルコンピュータ（ＰＣ：ｐｅｒｓｏｎａｌ  ｃｏｍｐｕｔｅｒ）や、ラップトップ型ＰＣや、デスクトップ型ＰＣや、車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能とされる（何れも図示せず）。また、上記ＯＰＵ２０を備える光ディスク装置１は、例えば、「ＣＤ」系光ディスク、「ＤＶＤ」系光ディスク、「ＨＤ−ＤＶＤ」系光ディスク、「ＣＢＨＤ」系光ディスク、「Ｂｌｕ−ｒａｙ  Ｄｉｓｃ」系光ディスク等の複数のメディアＭに対応可能なものとされる。ＯＰＵ２０を備えるトラバースメカ５又は光ディスク装置１は、「ＣＤ」、「ＤＶＤ」、「ＨＤ−ＤＶＤ」、「ＣＢＨＤ」、「Ｂｌｕ  ｒａｙ  Ｄｉｓｃ」などの各種光ディスクＭに対応したコンピュータ、音響および／または映像機器、ゲーム機、車載機などに装備可能とされている（何れも図示せず）。
【０１１６】
以上、本発明の実施形態について説明したが、前述した発明の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【０１１７】
１                光ディスク装置（ディスク装置）
２                光ディスク装置本体（ディスク装置本体）
３                カバー（筐体）
５                トラバースメカ（駆動部組立体）
１０              シート部材（保護部材）
１０ａ            基材（支持体）
１０ｂ            粘着剤（貼付剤）
１１              第一の突出部（突出部）
１２              第二の突出部（突出部）
１３              カバー部（突出部）
１４              シート本体部（本体部）
１５              貼付部
２０              ＯＰＵ（ピックアップ装置）
２１              内部
２５              ハウジング
２６，２７，２８  摺動部（軸受部）
２９              ハウジング本体
３１，３２        ＯＢＬ（光学部材）
３１ａ，３２ａ    レンズ面部
３１ｂ，３２ｂ    外周部
４０              ホルダ（保持部材）
４１              天壁
４２              第一側壁（側壁）
４３              一側壁（側壁）
４４              他側壁（側壁）
４５              第二側壁（側壁）
４６，４７        端部
４８              中央部
５１              第一フォーカス／チルトコイル（コイル）
５２              第二フォーカス／チルトコイル（コイル）
５３              トラッキングコイル（コイル）
６１，６２，６３，６４，６５，６６  サスペンションワイヤ（支持部材）
７１，７６        磁石（磁性部材）
７２，７７        一面部
７３ａ，７８ａ    一方部
７３ｂ，７８ｂ    他方部
７４ａ，７９ａ    正極部
７４ｂ，７９ｂ    負極部
８０              フレーム／ヨーク（固定部材）
８１              天板部
８２              基板部
８３，８４        側板部
９０              アクチュエータ（駆動装置）
９１              可動部
９３              レンズ・ホルダ組立体（駆動主体部）
９５              固定部
９７              ダンピング保持部材
９９              ＰＷＢ（基板）
１０１，１０２    スライドシャフト（支持体）
２００            ディスクドライブ装置（ドライブ装置）
３００            スピンドルモータ
４００            ターンテーブル
５００            シャーシ（基盤）
Ｄ１              フォーカシング方向（方向）
Ｄ２              トラッキング方向（方向）
Ｄ３              タンジェンシャル方向（方向）
Ｄｔ              チルト方向（方向）
Ｍ                ディスク（メディア）
Ｍａ              信号層（信号面部）
Ｍｂ              丸孔
Ｍｃ              中心部
【図１】
2010153014.tif 000003
【図２】
2010153014.tif 000004
【図３】
2010153014.tif 000005
【図４】
2010153014.tif 000006
【図５】
2010153014.tif 000007
【図６】
2010153014.tif 000008